(57)【要約】【課題】携帯機器での利用に適した画面構成と操作性を有するＧＵＩを備えた画像編集装置を提供する。【解決手段】プロジェクト作成画面において、コンポーネント追加ボタンによってコンポーネント（動画又は静止画）が追加され、複数のコンポーネント表示領域が、上下又は左右に隣接して表示される。各コンポーネント表示領域において、対応するコンポーネントの再生や編集が個別に指示される。２つのコンポーネントの間には、トランジション設定ボタンと上下（左右）入替ボタンが表示される。【選択図】図９
2017175242.tif 000002
【特許請求の範囲】
【請求項１】
情報を表示する表示部と、
ユーザから指定された複数の画像ファイルに基づいて、前記複数の画像ファイルを順次再生する動画ファイルを作成する画像編集部とを備える画像編集装置であって、
前記画像編集部は、
前記複数の画像ファイルの再生順を管理し、
前記複数の画像ファイルのうち少なくとも一部の画像ファイルに対応する代表画像を、前記再生順に従って並んだ状態で前記表示部に表示し、
前記表示部に表示された代表画像に対する前記ユーザの操作によって、操作された前記代表画像に対応する画像ファイルに関する処理が指示される画像編集装置。
【請求項２】
前記画像編集部は、
前記複数の画像ファイルに対応する代表画像のうち前記表示部に表示されていない非表示部分がある場合に、前記ユーザの操作によって、前記非表示部分の少なくとも一部が、前記再生順に従って並んだ状態を維持しながら前記表示部に表示されるよう制御する、請求項１に記載の画像編集装置。
【請求項３】
前記画像編集部は、
前記複数の画像ファイルのうち少なくとも一部の画像ファイルに対応する代表画像が、前記再生順に従って並んだ状態で前記表示部に表示されている場合に、前記代表画像が表示される２つの表示領域の間において第１アイコンを表示し、
前記第１アイコンの選択により、前記境界に係る２つの代表画像に対応する前記画像ファイルの再生に関し、先に再生される画像ファイルの終了時の再生態様と、後に再生される画像ファイルの開始時の再生態様とが指定可能である、請求項１に記載の画像編集装置。
【請求項４】
前記画像編集部は、
前記複数の画像ファイルのうち少なくとも一部の画像ファイルに対応する代表画像が、前記再生順に従って並んだ状態で前記表示部に表示されている場合に、前記代表画像が表示される２つの表示領域の間において第２アイコンを表示し、
前記第２アイコンの選択により、前記境界に係る２つの代表画像に対応する前記画像ファイルの再生順の変更を指定可能である、請求項１に記載の画像編集装置。
【請求項５】
前記画像編集部は、
前記動画ファイルの再生時点を、前記動画ファイルの再生開始から再生終了に亘る動画再生時間に関連付けて表示する再生時点表示領域と、
前記ユーザによって指定された楽曲について、再生開始から再生終了に亘る楽曲再生時間の少なくとも一部の再生部分を所定のシンボルで表す楽曲表示領域とを同時に表示し、
前記楽曲表示領域に対する前記ユーザの操作によって、前記動画ファイルの再生タイミングと前記楽曲の再生タイミングが関連付けられる、請求項１に記載の画像編集装置。
【請求項６】
前記画像編集部は、
前記動画ファイルに含まれる前記画像ファイルに関する画像ファイル情報を、前記動画ファイルにおける再生順に表すリスト表示を前記表示部に表示し、
前記ユーザが、前記リスト表示において前記画像ファイル情報を選択した場合に、前記選択された画像ファイル情報に対応する画像ファイルの代表画像を、前記表示部に表示する画像編集装置。
【請求項７】
情報を、画像編集装置の表示部に表示する表示制御ステップと、
ユーザから指定された複数の画像ファイルに基づいて、前記複数の画像ファイルを順次再生する動画ファイルを作成する画像編集ステップとを含む、前記画像編集装置において実行される画像編集方法であって、
前記画像編集ステップは、
前記複数の画像ファイルの再生順を管理し、
前記複数の画像ファイルのうち少なくとも一部の画像ファイルに対応する代表画像を、前記再生順に従って並んだ状態で前記表示部に表示し、
前記表示部に表示された代表画像に対する前記ユーザの操作によって、操作された前記代表画像に対応する画像ファイルに関する処理が指示される画像編集方法。
【発明の詳細な説明】
【技術分野】
【０００１】
この発明は、複数の画像を含むプロジェクトを作成する画像編集装置に関する。
【背景技術】
【０００２】
従来より、ユーザが、複数の動画を連結して１つの動画ファイルを作成したり、動画の再生タイミングに同期させて楽曲を関連付けたりすることのできる動画編集ツールが存在する。
【０００３】
特許文献１には、そのような動画編集ツールに関連し、編集を簡単に行うことを課題とした画像編集装置が開示されている。特許文献１の画像編集装置は、複数の動画像の代表画像を表示する第１の表示部、複数の動画像を並べる順番を設定する第２の表示部、複数の動画像の識別番号を入力する入力部、及び複数の動画像を入力された識別番号の順番に並べて編集する編集部を備えている。
【０００４】
また、特許文献２には、動画に対する編集作業を効率よく行うことを課題とした画像編集装置が開示されている。特許文献２の画像編集装置は、編集中の動画の再生を実行するプレビューエリア、ユーザの編集命令をタイムライン上に表示したタイムラインエリア、編集命令追加エリア、及びプロパティエリア等を備えている。
【先行技術文献】
【特許文献】
【０００５】
【特許文献１】特開２００４−１４０７５０号公報
【特許文献２】特開２０１３−１７９５７８号公報
【発明の概要】
【発明が解決しようとする課題】
【０００６】
近年、スマートフォン、携帯電話、ＰＤＡ端末等の携帯機器についても、ＣＰＵの高性能化やディスプレイの高精細化が進んでおり、当該携帯機器において画像編集ツールを実行することが可能となりつつある。また、ユーザにとって、自身で編集した画像を共有したり送信したりするというライフスタイルはより身近なものとなっており、場所を選ばずに操作が可能な携帯機器で利用できる画像編集ツールについては高いニーズがある。
【０００７】
しかしながら、これまでに提案されている携帯機器用画像編集ツールは、携帯機器の特性に応じた良好な操作性を提供するものとはなっていない。例えば、比較的小型の画面での編集作業に適するような画面構成や操作性を有するＧＵＩや、ユーザにとってわかりやすい直感的なＧＵＩなどについては考慮がされていない。
【０００８】
また、特許文献１や特許文献２の画像編集装置は、パーソナルコンピュータが備える比較的大きなサイズの液晶ディスプレイにおいて編集画面を表示させることが前提であり、画像編集において、様々な機能・操作のための表示エリアを同時に表示するものである。そのため、このような画像編集装置の構成をそのまま携帯機器に適用することはできない。
【０００９】
従って、本発明の目的は、携帯機器での利用に適した画面構成と操作性を有するＧＵＩを備えた画像編集装置、及び画像編集方法を提供することにある。
【００１０】
また、本発明の目的は、ユーザにとってわかりやすい直感的なＧＵＩを備えた画像編集装置、及び画像編集方法を提供することにある。
【課題を解決するための手段】
【００１１】
本発明は、以下のような画像編集装置、及び画像編集方法を提供する。
【００１２】
本発明の第１の実施態様に係る発明は、下記の構成を有する。
情報を表示する表示部と、
ユーザから指定された複数の画像ファイルに基づいて、前記複数の画像ファイルを順次再生する動画ファイル（例えば、プロジェクトファイル１６３）を作成する画像編集部とを備える画像編集装置（例えば、画像編集端末１０）であって、
前記画像編集部は、
前記複数の画像ファイルの再生順を管理し、
前記複数の画像ファイルのうち少なくとも一部の画像ファイルに対応する代表画像を、前記再生順に従って並んだ状態で前記表示部に表示し、
前記表示部に表示された代表画像に対する前記ユーザの操作によって、操作された前記代表画像に対応する画像ファイルに関する処理が指示される画像編集装置。
【００１３】
本発明のこのような構成によって、画像編集操作において、携帯機器での利用に適した画面構成と操作性を有するＧＵＩが提供され、また、ユーザにとってわかりやすい直感的なＧＵＩが提供される。
【００１４】
本発明の第２の実施態様に係る発明は、第１の実施態様において、下記の構成を有する。
前記画像編集部は、
前記複数の画像ファイルに対応する代表画像のうち前記表示部に表示されていない非表示部分がある場合に、前記ユーザの操作によって、前記非表示部分の少なくとも一部が、前記再生順に従って並んだ状態を維持しながら前記表示部に表示されるよう制御するよう構成される。
【００１５】
本発明の第３の実施態様に係る発明は、第１の実施態様において、下記の構成を有する。
前記画像編集部は、
前記複数の画像ファイルのうち少なくとも一部の画像ファイルに対応する代表画像が、前記再生順に従って並んだ状態で前記表示部に表示されている場合に、前記代表画像が表示される２つの表示領域の間において第１アイコンを表示し、
前記第１アイコンの選択により、前記境界に係る２つの代表画像に対応する前記画像ファイルの再生に関し、先に再生される画像ファイルの終了時の再生態様と、後に再生される画像ファイルの開始時の再生態様とが指定可能であるよう構成される。
【００１６】
本発明の第４の実施態様に係る発明は、第１の実施態様において、下記の構成を有する。
前記画像編集部は、
前記複数の画像ファイルのうち少なくとも一部の画像ファイルに対応する代表画像が、前記再生順に従って並んだ状態で前記表示部に表示されている場合に、前記代表画像が表示される２つの表示領域の間において第２アイコンを表示し、
前記第２アイコンの選択により、前記境界に係る２つの代表画像に対応する前記画像ファイルの再生順の変更を指定可能であるよう構成される。
【００１７】
本発明の第５の実施態様に係る発明は、第１の実施態様において、下記の構成を有する。
前記画像編集部は、
前記動画ファイルの再生時点を、前記動画ファイルの再生開始から再生終了に亘る動画再生時間に関連付けて表示する再生時点表示領域と、
前記ユーザによって指定された楽曲について、再生開始から再生終了に亘る楽曲再生時間の少なくとも一部の再生部分を所定のシンボルで表す楽曲表示領域とを同時に表示し、
前記楽曲表示領域に対する前記ユーザの操作によって、前記動画ファイルの再生タイミングと前記楽曲の再生タイミングが関連付けられるよう構成される。
【００１８】
本発明の第６の実施態様に係る発明は、第１の実施態様において、下記の構成を有する。
前記画像編集部は、
前記動画ファイルに含まれる前記画像ファイルに関する画像ファイル情報を、前記動画ファイルにおける再生順に表すリスト表示を前記表示部に表示し、
前記ユーザが、前記リスト表示において前記画像ファイル情報を選択した場合に、前記選択された画像ファイル情報に対応する画像ファイルの代表画像を、前記表示部に表示するよう構成される。
【００１９】
本発明の第７の実施態様に係る発明は、下記の構成を有する。
情報を、画像編集装置の表示部に表示する表示制御ステップと、
ユーザから指定された複数の画像ファイルに基づいて、前記複数の画像ファイルを順次再生する動画ファイルを作成する画像編集ステップとを含む、前記画像編集装置において実行される画像編集方法であって、
前記画像編集ステップは、
前記複数の画像ファイルの再生順を管理し、
前記複数の画像ファイルのうち少なくとも一部の画像ファイルに対応する代表画像を、前記再生順に従って並んだ状態で前記表示部に表示し、
前記表示部に表示された代表画像に対する前記ユーザの操作によって、操作された前記代表画像に対応する画像ファイルに関する処理が指示される画像編集方法。
【発明の効果】
【００２０】
本発明に係る画像編集装置によって、携帯機器での利用に適した画面構成と操作性を有する画像編集のためのＧＵＩが提供される。またさらに、ユーザにとってわかりやすい直感的なＧＵＩが提供される。
【図面の簡単な説明】
【００２１】
【図１】本発明の一実施形態に係る画像編集端末のハードウェア構成の例を示す図である。
【図２】本発明の一実施形態に係る画像編集端末の機能ブロック図である。
【図３】本発明の一実施形態に係るプロジェクトファイルの例を示す図である。
【図４】本発明の一実施形態に係る設定ファイルの例を示す図である。
【図５】本発明の一実施形態に係る画像編集メニュー画面の例を示す略線図である。
【図６】本発明の一実施形態に係るプロジェクト作成画面の例を示す略線図である。
【図７】本発明の一実施形態に係るプロジェクト作成画面の例を示す略線図である。
【図８】本発明の一実施形態に係るプロジェクト作成画面の例を示す略線図である。
【図９】本発明の一実施形態に係るプロジェクト作成画面の例を示す略線図である。
【図１０】本発明の一実施形態に係るプロジェクト作成画面の例を示す略線図である。
【図１１】本発明の一実施形態に係るプロジェクト作成画面の例を示す略線図である。
【図１２】本発明の一実施形態に係るプロジェクト作成画面の例を示す略線図である。
【図１３】本発明の一実施形態に係るプロジェクト作成画面の例を示す略線図である。
【図１４】本発明の一実施形態に係るプロジェクト作成画面の例を示す略線図である。
【図１５】本発明の一実施形態に係るプロジェクト作成画面の例を示す略線図である。
【図１６】本発明の一実施形態に係るプロジェクト作成画面の例を示す略線図である。
【図１７】本発明の一実施形態に係るプロジェクト作成画面の例を示す略線図である。
【図１８】本発明の一実施形態に係る設定画面の例を示す略線図である。
【図１９】本発明の一実施形態に係る画像編集端末におけるプロジェクト作成に関する処理フローの概要を示すためのフローチャートである。
【図２０】本発明の一実施形態の拡張機能に係るプロジェクト作成画面の例を示す略線図である。
【図２１】本発明の一実施形態の拡張機能に係るプロジェクト作成画面の例を示す略線図である。
【発明を実施するための形態】
【００２２】
最初に、図１を参照して、本発明の一実施形態に係る画像編集端末１０のハードウエア構成の例について説明する。図１に示す画像編集端末１０は、スマートフォンについての代表的な構成を例示したにすぎない。他の様々なコンピュータを画像編集端末１０として利用することができる。
【００２３】
画像編集端末１０は、ＣＰＵ（Central  Processing  Unit）１０１、メモリ１０２、インカメラ１０３ａ、アウトカメラ１０３ｂ、ＧＰＳ制御部１０４、ＧＰＳ用アンテナ１０５、無線信号処理部１０６、無線通信用アンテナ１０７、オーディオ制御部１０８、マイクロフォン１０９、スピーカ１１０、ディスプレイ制御部１１１、入力機器インタフェース１１２、タッチスクリーン１１３、非接触ＩＣカードリーダ／ライタ１１４、センサー１１５、補助記憶装置１１６、及び外部記録媒体インタフェース１１７を含んでいる。
【００２４】
ＣＰＵ１０１は、画像編集端末１０の各構成要素の動作を制御し、ＯＳの制御下で、各機能を実行する。また、動画ファイルの再生や編集における画像処理を高速化するために、さらにＧＰＵ（Graphics  Processing  Unit）を備えるように構成してもよい。
【００２５】
メモリ１０２は通常ＲＡＭ（Random  Access  Memory）で構成される。メモリ１０２には、ＣＰＵ１０１で実行される各機能を実現するためのプログラムが実行時にロードされ、当該プログラムに必要なデータ等が一時的に記憶される。
【００２６】
インカメラ１０３ａ、アウトカメラ１０３ｂは、画像編集端末１０に内蔵される小型の撮像装置で、撮像素子がＣＣＤやＣＭＯＳといったタイプのものがある。これらのカメラによって撮影された動画や静止画に基づいてコンポーネントが構成され、プロジェクトファイルが作成されうる。インカメラ１０３ａは、後述するタッチスクリーン１１３の付近に設けられた内側のカメラであり、通常はアウトカメラ１０３ｂより解像度が低いサブカメラの位置付けである。アウトカメラ１０３ｂは、後述するタッチスクリーン１１３の反対側に設けられた外側のカメラであり、通常はアウトカメラ１０３ｂより解像度が高いメインカメラの位置付けである。
【００２７】
ＧＰＳ制御部１０４は、ＧＰＳ用アンテナ１０５を介して、複数のＧＰＳから信号を受信し、画像編集端末１０の位置を調べる。こうして求められた位置情報は、後述する補助記憶装置１１６等に記憶され、必要に応じてプログラムで利用される。
【００２８】
無線信号処理部１０６は、無線通信用アンテナ１０７を介して携帯電話基地局と通信を行い、他の機器との間での通話データの送受信や、（インターネットを介した）他端末との間でのＷＥＢページやメールデータの送受信を制御する。また、無線信号処理部１０６は、無線通信用アンテナ１０７を用いて無線ＬＡＮアクセスポイントとの間で無線ＬＡＮによる通信を実現し、インターネット経由のデータ送受信を行う（ここでは、便宜上、無線信号処理部１０６と無線通信用アンテナ１０７が、携帯電話基地局との間の（通話を含む）無線通信、及び無線ＬＡＮアクセスポイントとの間の無線通信を行うものとして表す）。
【００２９】
オーディオ制御部１０８は、マイクロフォン１０９とスピーカ１１０を制御して無線通信による通話を実現し、一方で、本発明のプロジェクト作成画面等において、動画や音楽を再生する場合に、音声を出力するよう制御する。
【００３０】
タッチスクリーン１１３は、例えば、ＬＣＤ（Liquid  Crystal  Display）などで構成される表示装置で情報を表示するとともに、ユーザが指などで画面表面をタップ（又はタッチ）した位置を、抵抗膜方式や静電容量方式などのタッチセンサーで検知する。ディスプレイ制御部１１１は、ＣＰＵ１０１が発行する描画データを処理して、例えば、本発明における画像編集メニュー画面、プロジェクト作成画面、設定画面等を、タッチスクリーン１１３の表示装置に出力する。入力機器インタフェース１１２は、タッチスクリーン１１３のタッチセンサーが、ユーザによる操作を検知し、これを所定の信号としてＣＰＵ１０１に送信する。
【００３１】
非接触ＩＣカードリーダ／ライタ１１４は、非接触ＩＣチップが埋め込まれたカードが画像編集端末１０の所定の位置にかざされた場合に、ＣＰＵ１０１の指令に基づいて、そのＩＣチップに記憶されているデータを読み取り、又は、ＩＣチップに所定のデータを書き込む。
【００３２】
センサー１１５は、タッチスクリーン１１３のタッチセンサー以外のセンサーであり、モーションセンサー、光センサー、近接センサーなどがある。
【００３３】
補助記憶装置１１６は、例えば、フラッシュメモリと呼ばれる半導体メモリやハードディスクで構成される。補助記憶装置１１６は、ＣＰＵ１０１で実行される各機能を実現するためのプログラムを記憶するほか、各種データを記憶する。
【００３４】
外部記録媒体インタフェース１１７は、外部記録媒体１２０にアクセスして、そこに記録されているデータを読み取る。外部記録媒体１２０は、例えば、可搬型のフラッシュメモリである。ＣＰＵ１０１で実行され、本発明の各機能を実現するためのプログラムは、この外部記録媒体インタフェース１１７や、前述したような、無線信号処理部１０６及び無線通信用アンテナ１０７を介した携帯電話網やネットワークを経由して画像編集端末１０に提供される。
【００３５】
図１は、スマートフォンが画像編集端末１０として用いられた場合の構成を示しているが、例えば、携帯電話等が画像編集端末１０として用いられた場合、これらがタッチスクリーンを備えていなければ、ディスプレイ制御部１１１には、ＬＣＤ等からなる表示装置が接続され、入力機器インタフェース１１２にはボタン等が接続される。
【００３６】
また、一般的なＰＣが画像編集端末１０として用いられた場合、外部ネットワークに接続するためのネットワークインタフェースが追加され、ディスプレイ制御部１１１には、ＬＣＤ等からなる組み込み型又は別筐体の表示装置が接続され、入力機器インタフェース１１２には、キーボードやマウスが接続される。また、カードの２次元コードを読み取るためのカメラやスキャナなども、必要に応じて接続される。
【００３７】
次に、図２の機能ブロック図を参照して、本発明の一実施形態に係る画像編集端末１０の機能の概要について説明する。図２に示すように、画像編集端末１０は、プロジェクト編集制御部１５１、設定制御部１５２、撮像制御部１５３、入出力制御部１５４、及びネットワークＩ／Ｆ部１５５を含んでいる。また、画像編集端末１０の補助記憶装置１６０には、プロジェクト定義ファイル１６１、設定ファイル１６２、プロジェクトファイル１６３、及びコンテンツファイル１６４が格納される。
【００３８】
プロジェクト編集制御部１５１は、画像編集端末１０のユーザの編集指示に応じて、プロジェクトファイル１６３を編集し、作成する。プロジェクトファイル１６３は、複数のコンポーネントを組み合わせて構成された（編集後の）動画ファイルであり、各コンポーネントは、動画や静止画に基づいて構成される。詳細なユーザの編集指示については、図６ないし図１７を参照して後述する。プロジェクトファイル１６３は、上述のように、画像編集端末１０の補助記憶装置１６０に記憶される。
【００３９】
設定制御部１５２は、画像編集端末１０のユーザの設定指示に応じて、プロジェクト等の設定に関する設定ファイルを更新し、保存する。当該設定には、例えば、画像のサイズや楽曲に関する設定が含まれる。
【００４０】
撮像制御部１５３は、画像編集端末１０のユーザによる操作に基づいて、画像編集端末１０のインカメラ１０３ａやアウトカメラ１０３ｂを制御して、動画や静止画を撮像する。こうして撮像された動画や静止画は、コンテンツファイル１６４として、補助記憶装置１６０に記憶される。
【００４１】
入出力制御部１５４は、画像編集端末１０のタッチスクリーン１１３、及び入力機器インタフェース１１２を介して得られるユーザの操作に係る信号をＣＰＵ１０１に送信するとともに、ＣＰＵ１０１の指令に基づいて、プロジェクト作成画面等に係る表示画像等を、ディスプレイ制御部１１１を介してタッチスクリーン１１３に表示するよう制御する。
【００４２】
ネットワークＩ／Ｆ部１５５は、画像編集端末１０の無線信号処理部１０６等を制御して、コンテンツやアプリケーション（プログラム）をダウンロードするために、サーバ等との間でデータ送受信を制御する。
【００４３】
上述したプロジェクト編集制御部１５１〜ネットワークＩ／Ｆ部１５５の各機能は、基本的には、画像編集端末１０にインストールされた専用アプリケーションによって実現されるが、場合によっては、これらの機能の少なくとも一部が、ＷＥＢブラウザなどの汎用アプリケーションやＯＳによって実現されうる。
【００４４】
次に、図３を参照して、プロジェクト定義ファイル１６１の例について説明する。プロジェクト定義ファイル１６１は、上述したプロジェクトファイル１６３に関する定義ファイルであり、プロジェクト作成に関してユーザが指定した内容についての情報が記憶される。この例では、プロジェクトごとに（すなわち、プロジェクトをユニークに識別可能なプロジェクトＩＤにより）管理される。
【００４５】
プロジェクト定義ファイル１６１は、図３に示すように、ユーザＩＤ、テーマ名、プロジェクトＩＤ、プロジェクトタイトル、コンポーネント１ないしコンポーネント９、編集内容、トランジション設定、個別ミュート、楽曲、及び楽曲スタート位置を含んでいる。
【００４６】
ユーザＩＤは、例えば、画像編集端末１０のユーザがプロジェクト作成画面等を画像編集端末１０に表示させて、プロジェクト作成を行うというサービスを受けるために登録されたＩＤである。画像編集端末１０のユーザは、ユーザＩＤでログインを行い、サーバによって認証された場合に、画像編集端末１０でそのプロジェクトの作成を行うためのプログラムが利用可能となる。ユーザＩＤによるログインに際しては、パスワードが要求されることもある。
【００４７】
テーマ名は、例えば、プロジェクト作成により生成されたプロジェクトファイル１６３が、別途読み込んだカードの２次元コードから得られるカードＩＤと関連付けられるような場合に、そのカードＩＤに対応するテーマ名である。プロジェクトタイトルは、ユーザが任意に設定することができる。
【００４８】
コンポーネント１ないしコンポーネント９は、そのプロジェクトで利用されるコンポーネントに関するファイル（コンポーネントファイル）であり、この例では、１つのプロジェクトに最大９個のコンポーネントファイルが関連付けられる。各コンポーネントファイルの欄には、例えば、「MOVIE1.mp4」や「MOVIE2.jpg」などのコンポーネント（素材）のファイル名が記憶され、これらのファイル自体は、コンテンツファイル１６４として補助記憶装置１６０に記憶されている。
【００４９】
編集内容は、各コンポーネント（コンポーネント１ないしコンポーネント９）に対してユーザが指定した編集内容（指示内容と編集パラメータ等）が記憶される。例えば、コンポーネント１についてフレームを設定した場合は、フレームを配置するという指示内容を表す指示情報と、どのフレームを用いたかを表すパラメータ情報が記憶される。
【００５０】
なお、本発明の一実施形態におけるプロジェクトでは、コンポーネントとして、静止画を指定することができるが、この静止画に対応するコンポーネントに対しては、表示時間を指定することによって、その時間だけ連続して表示されるよう制御される。当該コンポーネントに関する編集内容として、ユーザにより指定された表示時間が含まれる。また、静止画自体は、コンテンツファイル１６４として記憶される。
【００５１】
トランジション設定は、複数のコンポーネントがある場合に、それぞれのコンポーネントでどのような遷移を行うか（遷移時のエフェクト）を指定する。９個のコンポーネントファイルが含まれる場合は、８のトランジション指定を表す識別子（例えば、「１（クロスフェード）」、「２（ホワイトアウト）」。「３（なし）」など）が記憶される。
【００５２】
個別ミュートは、各コンポーネントにおける音声の再生を、プロジェクトの再生時に行うかどうかを指定する。９個のコンポーネントファイルが含まれる場合は、それぞれ９個の指定を表す識別子（例えば、「０（ミュートしない）」や「１（ミュートする）」など）が記憶される。
【００５３】
楽曲は、プロジェクトの再生時に出力される音声を指定する。この例では、音声ファイルのファイル名が記憶され、これらの楽曲は、コンテンツファイル１６４や所定のライブラリ等に記憶されている。楽曲スタート位置は、プロジェクトの再生が開始される場合に、楽曲のどの部分からスタートするかを示すものであり、この例では、楽曲の再生が開始される時間が記憶されている。
【００５４】
次に、図４を参照して、設定ファイル１６２の例について説明する。設定ファイル１６２は、この例では、プロジェクトごとに記憶されるが、ユーザごと、プロジェクトのグループごと、プロジェクト内の所定のコンポーネントごとに構成されてもよい。
【００５５】
画像サイズは、プロジェクトの各コンポーネントの画像を統一サイズで再生する場合に、どのサイズで再生するかを指定するものであり、例示のような固定値（４００×４００）のほか、「１（最大画像サイズに合わせる）」、「２（最小画像サイズに合わせる）」、「３（最大横サイズに合わせる）」、「４（最大縦サイズに合わせる）」などが設定可能である（後述の図１８参照）。
【００５６】
画像サイズ調整方法は、上記のように、プロジェクトの各コンポーネントの画像サイズの統一をどのように調整するかを指定するものである。例えば、「１（自動的に拡大・縮小する）」、「２（はみ出した部分をカットする）」などが設定可能である（図１８参照）。
【００５７】
音量調整は、１つのプロジェクトファイル１６３に従って、複数のコンポーネントが連続して再生される場合に、音量をどのように調整するかを指定するものである。例えば、「１（各コンポーネントの音声について、自動的にレベルを調整する）」、「２（各コンポーネントの音声と楽曲とのレベルを調整する）」などが設定可能である。
【００５８】
次に、図５ないし図１７を参照して、画像編集端末１０のユーザがプロジェクトの作成を行う場合の一連の操作を、画像編集端末１０のタッチスクリーン１１３に表示される画面の例を用いて説明する。
【００５９】
最初に、ユーザは、画像編集端末１０において、図５に示す画像編集メニュー画面３００を表示させる。画像編集メニュー画面３００は、例えば、ユーザが画像編集端末１０で所定の画面操作を行うことで表示される。また、カードの２次元コードから読み取られた識別ＩＤにプロジェクトを関連付けようとする場合は、そのカードの２次元コードを読み取った後で、画像編集端末１０の画面が画像編集メニュー画面３００に遷移する。なお、図５に示す画像編集メニュー画面３００の表示を行わずに、次の画面（例えば、後述するプロジェクト作成画面３１０）を表示させるように構成することもできる。
【００６０】
画像編集メニュー画面３００の最上部には、「画像編集メニュー画面」といった画面タイトルが表示されたヘダー表示領域３０１が配置され、画面タイトルの左側には、ＢＡＣＫボタン３０２が配置される。ユーザがＢＡＣＫボタン３０２をタップ（又はタッチ）すると、画像編集端末１０の画面表示が、前画面に遷移する。
【００６１】
ヘダー表示領域３０１の下には、テーマ表示領域３０３が配置され、そこには、テーマ名が表示される。この例では、上記のように読み取ったカードに関連付けられたテーマが表示されている。
【００６２】
テーマ表示領域３０３の下には、プロジェクトの作成を行うためのプロジェクト作成ボタン３０４、既に作成されたプロジェクトの編集を行うためのプロジェクト編集ボタン３０５、及びプロジェクトの設定を行うための設定ボタン３０６が配置されている。
【００６３】
ここで、ユーザによって、プロジェクト作成ボタン３０４がタップされると、画像編集端末１０の画面は、図６に示すプロジェクト作成画面３１０に遷移する。
【００６４】
プロジェクト作成画面３１０の最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。ユーザがＢＡＣＫボタン３１２をタップすると、図５の画像編集メニュー画面３００の表示に遷移する。
【００６５】
また、画面タイトルの下には、時間表示領域３１６が配置され、今回のプロジェクトに含まれるコンポーネントの再生の合計時間が表示される。ここでは、まだコンポーネントが登録されていないので、「００：００」と表示されている。
【００６６】
ヘダー表示領域３１１の下には、図５のテーマ表示領域３０３で表示されていたテーマ名を表示したテーマ名表示領域３１４が配置される。また、テーマ名表示領域３１４の下には、プロジェクトタイトル表示領域３１５が配置され、ユーザはそこに、今回作成するプロジェクトのプロジェクトタイトルを入力することができる。プロジェクトタイトル表示領域３１５をタップすると、文字入力メニューが表示され、そこで、ユーザの文字入力が可能となる。
【００６７】
プロジェクト作成画面３１０の中央部には、コンポーネント表示領域３１７が配置されているが、ここでは、まだコンポーネントが登録されていないので、何も表示されていない状態である。プロジェクト作成画面３１０の最下部には、コンポーネント追加ボタン３１８が表示されている。ここで、ユーザが、コンポーネント追加ボタン３１８をタップすると、図７に示す状態に遷移する。
【００６８】
図７に示すプロジェクト作成画面３１０ａの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。このような構成は、図６のプロジェクト作成画面３１０と同様である。また、テーマ名表示領域３１４、プロジェクトタイトル表示領域３１５、コンポーネント表示領域３１７、及びコンポーネント追加ボタン３１８も、図６と同様に表示される。図７に示すプロジェクト作成画面３１０ａでは、図６に示すプロジェクト作成画面３１０の状態にオーバーラップして、コンポーネント追加メニュー３１９が表示されている。
【００６９】
コンポーネント追加メニュー３１９には、「動画撮影」、「動画インポート」、「写真インポート」のなかから、追加するコンポーネントを選択することができる。また、「キャンセル」を選択すると、図６に示すプロジェクト作成画面３１０の表示に戻る。
【００７０】
ここでユーザが、「動画インポート」を選択すると、画像編集端末１０の所定の動画ライブラリーに保存されている動画選択画面（不図示）を表示し、そこでユーザが１つの動画を選択すると、画像編集端末１０の表示は、図８に示すプロジェクト作成画面３１０ｂに遷移する。
【００７１】
また、ユーザが図７において、「写真インポート」を選択した場合は、画像編集端末１０の所定の写真ライブラリーに保存されている写真選択画面（不図示）を表示し、そこでユーザが１つの写真を選択することができる。
【００７２】
なお、ユーザが図７において、「動画インポート」や「写真インポート」を選択した場合、さらに操作を行って、ネットワーク接続されたサーバ上の動画や写真を選択することもできる。また、動画や写真については、一度に複数個を選択することもできる。
【００７３】
さらに、ユーザが図７において、「動画撮影」を選択した場合は、撮像アプリケーションが起動し、ユーザはそこで動画を撮影することができる。ユーザが撮影が終了すると、「動画インポート」や「写真インポート」において選択行われた場合と同様、図８に示すプロジェクト作成画面３１０ｂに遷移する。
【００７４】
図８に示すプロジェクト作成画面３１０ｂでは、図７に示すプロジェクト作成画面３１０ａのコンポーネント表示領域３１７の部分に、指定された動画や写真、又は撮影された動画の画像が表示される（この例では、動画のコンポーネントが追加されており、その動画の最初の画像が表示される）。
【００７５】
図８に示すプロジェクト作成画面３１０ｂの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。このような構成は、図６のプロジェクト作成画面３１０と同様である。ただし、時間表示領域３１６における表示は、今回、動画のコンポーネント（１２秒の動画）が追加されているので、「００：１２」と表示されている。テーマ名表示領域３１４、及びプロジェクトタイトル表示領域３１５の表示内容は、図６と同じである。
【００７６】
上述のように、図７に示すプロジェクト作成画面３１０ａのコンポーネント表示領域３１７の部分は、今回追加された動画ファイルの代表画像が表示されているコンポーネント表示領域３２１に変化している。なお、この例では、コンポーネント表示領域３２１に表示される代表画像は、初期状態では、対応するコンポーネント（動画ファイル）の最初の画像であり、後述する「ｐｒｅｖｉｅｗ」のタップにより再生が指示された後、再生停止の指示があった場合は、その時点での静止画像である。
【００７７】
初期状態で表示される代表画像は、この他、様々な画像を採用してもよい。以降、図９ないし図１１の各コンポーネント表示領域に表示される画像についても同様である。また、これらのコンポーネント表示領域に表示される代表画像は、基本的に、プロジェクトが再生される場合と同じサイズで表示されるが、サムネイル画像や縮小・拡大後の画像を表示するようにしてもよい。
【００７８】
また、この例では、コンポーネント表示領域３２１をはじめとする各コンポーネント表示領域が、画像ファイルの縦横サイズに応じて、ほぼ正方形の形状となっているが、この形状は、ユーザが設定する画像ファイルのサイズや実際に読み込んだ画像ファイルのサイズに応じて変化しうる。
【００７９】
さらに、コンポーネント表示領域３２１には、そのコンポーネントに対する操作を指示するためのコンポーネント操作指示領域３２２が、画像にオーバーラップして表示されている。コンポーネント操作指示領域３２２には、「ｐｒｅｖｉｅｗ」、「ｅｄｉｔ」、「ｄｅｌｅｔｅ」といった、その画像に対応するコンポーネント（画像ファイル）に関する各処理を表すメニューが表示される。
【００８０】
ここでユーザが、「ｐｒｅｖｉｅｗ」をタップすると、今回選択した動画が、コンポーネント表示領域３２１において再生され、同時にスピーカ１１０から音声が出力される。その後、再び、「ｐｒｅｖｉｅｗ」をタップすると、再生が停止される。また、このような再生の開始と停止は、コンポーネント表示領域３２１の所定部分（例えば、コンポーネント操作指示領域３２２でない部分）をタップすることによって行われるようにしてもよい。
【００８１】
「ｅｄｉｔ」をタップすると、図の下側に示すように、コンポーネント編集メニュー３２６がプロジェクト作成画面３１０ｂにオーバーラップして表示され、そこでフレームＯＮ／ＯＦＦの編集、各種エフェクトの編集を指定することができる。動画のエフェクトについては詳細な説明を省略するが、フィルターや変形等、様々な既知のエフェクトが含まれる。「ｄｅｌｅｔｅ」をタップすると、コンポーネント削除メニュー３２５がプロジェクト作成画面３１０ｂにオーバーラップして表示され、そこでそのコンポーネントの削除を指定することができる。ユーザは、ここで、フレームの選択やエフェクトに必要な指示画面を表示させて指示操作を行い、コンポーネント表示領域３２１に表示されている動画について、フレームの追加やエフェクトの追加を行うことができる。
【００８２】
図８に示すプロジェクト作成画面３１０ｂのコンポーネント表示領域３２１の下には、コンポーネント表示領域３２１に隣接して、何も表示されていないコンポーネント表示領域３２３が表示される。また、プロジェクト作成画面３１０ｂの最下部には、コンポーネント追加ボタン３２４が表示されている。ここで、ユーザが、コンポーネント追加ボタン３２４をタップして、図７に示すようなコンポーネント追加メニュー３１９から「動画インポート」を選択して、動画のコンポーネントを追加すると、図９に示す状態に遷移する。
【００８３】
なお、図８のプロジェクト作成画面３１０ｂにおいて、コンポーネント表示領域３２１の横、又は下に、キーフレームで表される代表画像のサムネイルや、チャプタに対応した代表画像のサムネイルを複数並べて表示し、上記のような、コンポーネント表示領域３２１における再生の際に、そのサムネイルの１つをタップすることにより、対応する代表画像の位置から再生を始めるように指示することもできる（以下の再生指示が可能な画面について同じ）。
【００８４】
図９に示すプロジェクト作成画面３１０ｃでは、図８に示すプロジェクト作成画面３１０ｂのコンポーネント表示領域３２３の部分に、指定された動画や写真、又は撮影された動画の画像が表示される（この例では、動画のコンポーネントが追加されており、その動画の最初の画像が表示される）。
【００８５】
図９に示すプロジェクト作成画面３１０ｃの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。このような構成は、図６のプロジェクト作成画面３１０と同様である。ただし、時間表示領域３１６における表示は、今回、動画のコンポーネント（１４秒の動画）が追加されているので、「００：１２」から「００：２６」に変化している。テーマ名表示領域３１４、及びプロジェクトタイトル表示領域３１５の表示内容は、図６と同じである。
【００８６】
上述のように、図８に示すプロジェクト作成画面３１０ｂのコンポーネント表示領域３２３の部分は、今回追加された動画の最初の画像が表示されているコンポーネント表示領域３３１に変化している。このような動画のコンポーネントの追加により、複数の画像ファイルの再生順が管理される。すなわち、このプロジェクトでは、上側に表示されているコンポーネント表示領域３２１に係る動画が再生された後に、その下側に表示されているコンポーネント表示領域３３１に係る動画が再生されることになる。このように、動画の再生順が上から下に進むようにプロジェクトが定義されるので、ユーザにとっては、極めて直感的でわかりやすいＧＵＩとなっている。
【００８７】
さらに、コンポーネント表示領域３３１には、そのコンポーネントに対する操作を指示するためのコンポーネント操作指示領域３３２が、画像にオーバーラップして表示されている。コンポーネント操作指示領域３３２には、「ｐｒｅｖｉｅｗ」、「ｅｄｉｔ」、「ｄｅｌｅｔｅ」の各メニューが表示される。なお、図９では、コンポーネント表示領域３３１の一部が表示されていないが、ユーザがプロジェクト作成画面３１０ｃを下から上にスワイプすることでプロジェクト作成画面３１０ｃの表示範囲が下側に移動し、表示されるようになり、「ｄｅｌｅｔｅ」のメニューや動画の最初の画像の全体が見えるようになる。
【００８８】
なお、このようなタッチスクリーン１１３におけるスワイプの操作は、キーボードであれば上方向キーを押すことで、マウスであれば、ホイール操作やスクロールバーのドラッグで行うことができる。
【００８９】
コンポーネント操作指示領域３３２に表示される「ｐｒｅｖｉｅｗ」、「ｅｄｉｔ」、「ｄｅｌｅｔｅ」の各メニューにより、コンポーネント表示領域３３１に示された動画に対する操作は、図８に示した、コンポーネント表示領域３２１に示された動画に対する操作と同様のものである。
【００９０】
図９に示すプロジェクト作成画面３１０ｃではさらに、コンポーネント表示領域３２１とコンポーネント表示領域３３１の間（左側）において、トランジション設定ボタン３３４が配置されている。ユーザがこれをタップすると、図９の下側に示すように、トランジション設定メニュー３３６が、プロジェクト作成画面３１０ｃにオーバーラップして表示され、ここで、ユーザは、コンポーネント表示領域３２１に係る動画とコンポーネント表示領域３３１に係る動画が連続的に再生される場合に、その遷移のエフェクトをどのように行うかを指定できる。
【００９１】
例えば、トランジション設定メニュー３３６では、「ｃｒｏｓｓ  ｆａｄｅ」、「ｗｈｉｔｅｏｕｔ」、「ｎｏｎｅ」が選択できる。「ｃｒｏｓｓ  ｆａｄｅ」では、前の動画がフェードアウトするとともに後の動画がフェードインで再生される。「ｗｈｉｔｅｏｕｔ」では、前の動画の再生が終了してホワイトアウトした後、後の動画が再生される。「ｎｏｎｅ」は何もしない、すなわち、前の動画の再生が終了してすぐに、後の動画がそのまま再生される。このようなトランジション以外にも既知の様々なパターンを適用することができる。
【００９２】
また、図９に示すプロジェクト作成画面３１０ｃではさらに、コンポーネント表示領域３２１とコンポーネント表示領域３３１の間（右側）において、上下入替ボタン３３３が配置されている。ユーザがこれをタップすると、コンポーネント表示領域３２１に係る動画とコンポーネント表示領域３３１に係る動画の配置が上下入れ替えられ、このような配置の入れ替えに伴って、これら２つの動画の再生順が入れ替えられることになる。
【００９３】
なお、この例では、２つの動画について上下を入れ替える上下入替ボタン３３３が配置されているが、例えば、ロングタップ（長押し）により特定した動画をドラッグするなどして、特定の位置（再生順）に変更するようにすることもできる。
【００９４】
なお、上述のように、トランジション設定ボタン３３４と上下入替ボタン３３３は、それぞれ、コンポーネント表示領域３２１とコンポーネント表示領域３３１の間であって、これらの表示領域の境界付近に配置されるが、トランジション設定ボタン３３４と上下入替ボタン３３３の配置位置は、コンポーネント表示領域３２１のなかの下側部分からコンポーネント表示領域３３１のなかの上側部分に亘る範囲のうちの任意の位置であればよく、特定の位置に限定される必要はない。例えば、図９では、トランジション設定ボタン３３４は、コンポーネント表示領域３２１の左下の部分にオーバーラップ表示されるとともに、コンポーネント表示領域３３１の左上の部分にオーバーラップ表示されている。
【００９５】
プロジェクト作成画面３１０ｃの最下部には、コンポーネント追加ボタン３３５が表示されている。ここで、上述のように、ユーザがプロジェクト作成画面３１０ｃを下から上にスワイプ等の操作をすることでプロジェクト作成画面３１０ｃの表示範囲が下側に移動するが、これを図１０のプロジェクト作成画面３１０ｄとして表すことにする。
【００９６】
図１０に示すプロジェクト作成画面３１０ｄの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。このような構成は、図９のプロジェクト作成画面３１０ｃと同様である。
【００９７】
図９のプロジェクト作成画面３１０ｃにおいて、ユーザにより上方向にスワイプ等の操作が行われると、図１０のプロジェクト作成画面３１０ｄに示すように、コンポーネント操作指示領域３３２のメニュー項目もすべて表示され、コンポーネント表示領域３３１に表示された画像も全体が表示される。
【００９８】
図１０に示すプロジェクト作成画面３１０ｄのコンポーネント表示領域３３１の下には、コンポーネント表示領域３３１に隣接して、何も表示されていないコンポーネント表示領域３４１が表示される。また、プロジェクト作成画面３１０ｄの最下部には、コンポーネント追加ボタン３４２（図９に示すコンポーネント追加ボタン３３５に対応する）が表示されている。
【００９９】
ここで、ユーザが、コンポーネント追加ボタン３４２をタップして、図７に示すようなコンポーネント追加メニュー３１９から「写真インポート」を選択して、写真（静止画）のコンポーネントを追加すると、図１１に示す状態に遷移する。
【０１００】
図１１に示すプロジェクト作成画面３１０ｅでは、図１０に示すプロジェクト作成画面３１０ｄのコンポーネント表示領域３４１の部分に、指定された動画や写真、又は撮影された動画の画像が表示される（この例では、写真のコンポーネントが追加されており、その写真の画像が表示される）。
【０１０１】
図１１に示すプロジェクト作成画面３１０ｅの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。このような構成は、図１０のプロジェクト作成画面３１０ｄと同様である。ただし、時間表示領域３１６における表示は、今回、写真のコンポーネントが追加され、（後述するように）１０秒の表示時間が設定されるので、「００：２６」から「００：３６」に（最終的には）変化する。
【０１０２】
上述のように、図１０に示すプロジェクト作成画面３１０ｄのコンポーネント表示領域３４１の部分は、今回追加された写真の画像が表示されているコンポーネント表示領域３５１に変化している。このような写真のコンポーネントの追加により、各画像ファイルの再生順が管理される。すなわち、このプロジェクトは、上側に表示されているコンポーネント表示領域３２１に係る動画が再生された後に、その下側に表示されているコンポーネント表示領域３３１に係る動画が再生され、さらにその後に、その下側に表示されているコンポーネント表示領域３５１に係る写真が所定時間表示されることになる。
【０１０３】
このように、動画や写真の再生・表示順が上から下に進むようにプロジェクトが定義されるので、ユーザにとっては、極めて直感的でわかりやすいＧＵＩとなっている。また、図１０のプロジェクト作成画面３１０ｄのように、画像編集端末１０のタッチスクリーン１１３に、プロジェクトのコンポーネントがすべて表示できない場合は、上記の表示順を維持しながら、コンポーネントに係る代表画像の一部が表示される。
【０１０４】
さらに、コンポーネント表示領域３５１には、そのコンポーネントに対する操作を指示するためのコンポーネント操作指示領域３５２が、画像にオーバーラップして表示されている。コンポーネント操作指示領域３５２には、「ｐｒｅｖｉｅｗ」、「ｅｄｉｔ」、「ｄｅｌｅｔｅ」の各メニューが表示される。
【０１０５】
このような「ｐｒｅｖｉｅｗ」、「ｅｄｉｔ」、「ｄｅｌｅｔｅ」の各メニューを選択した場合の処理は、上述した、コンポーネント表示領域３２１に係る動画やコンポーネント表示領域３３１に係る動画に対するものと同様であるが、今回追加されたコンポーネントが写真であるため、「ｅｄｉｔ」のメニューをタップすると、コンポーネント編集メニュー３５６で、フレームＯＮ／ＯＦＦの編集、及び各種エフェクトの編集に加え、「ｔｉｍｅ」のメニューが表示される。この「ｔｉｍｅ」は、静止画である写真を、プロジェクトに係る連続的な画像の再生において、どれだけの時間表示するかを指定するものである。この指定により、写真の画像が、指定した時間だけ、（基本的には）そのまま表示される。この例では、１０秒の表示時間が指定されたものとする。
【０１０６】
また、図１１のプロジェクト作成画面３１０ｅでは、コンポーネント表示領域３３１とコンポーネント表示領域３５１の間（左側）において、トランジション設定ボタン３５４が配置され、コンポーネント表示領域３３１とコンポーネント表示領域３５１の間（右側）において、上下入替ボタン３５３が配置されているが、これらのボタンは、上述したトランジション設定ボタン３３４、及び上下入替ボタン３３３とそれぞれ同様のものである。
【０１０７】
ここで、ユーザは、コンポーネント表示領域３５１にオーバーラップして表示されたコンポーネント追加ボタン３５５をタップすることで、コンポーネントをさらに追加することができる。このような操作を順次繰り返して、プロジェクトを作成すると、複数の画像が上に配置された画像から連続的に再生され、専門的な知識のないユーザでも容易にプロジェクトファイル１６３（編集後の動画ファイル）を生成することができる。このような操作によって、大きな画像の遷移を伴うことなく、各画像の再生順や画像間のトランジションを簡単な操作で指定することができ、また、各画像について、プレビュー、編集、削除を行うことができる。
【０１０８】
次に、ユーザが、図１１のプロジェクト作成画面３１０ｅにおいて、ＮＥＸＴボタン３１３をタップすると、画像編集端末１０の画面は、図１２に示すプロジェクト作成画面３１０ｆに遷移し、そこで楽曲の選択が行われる。
【０１０９】
図１２に示すプロジェクト作成画面３１０ｆの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。このような構成は、図１１のプロジェクト作成画面３１０ｅ等と同様である。時間表示領域３１６には、上記の指定された３つの画像の合計の再生時間である「００：３６」が示されている。
【０１１０】
ここで、このプロジェクトを再生しているときに出力される楽曲を指定する場合は、「マイミュージック」の表示がされている楽曲選択ボタン３６１をタップし、楽曲の指定をしない場合は、「なし」の表示がされている楽曲不使用ボタン３６２をタップする。上記の「マイミュージック」は、例えば、ユーザの画像編集端末１０における楽曲保存用ライブラリを示すものである。なお、楽曲については、このような楽曲保存用ライブラリからだけでなく、図１２のプロジェクト作成画面３１０ｆ等を表示するアプリケーション（画像編集端末１０において実行されるプログラム）によって、例えば、所定の事業者からサーバ経由で提供される楽曲を選択することもできる。また、その他、様々な経路・仕組みで楽曲が提供されうる。
【０１１１】
ユーザが、図１２に示すプロジェクト作成画面３１０ｆにおいて、楽曲選択ボタン３６１をタップし、「マイミュージック」のライブラリにある楽曲の一覧を表示する楽曲一覧表示画面（不図示）から楽曲を選択すると、画面は、図１３に示すプロジェクト作成画面３１０ｇに遷移し、そこで動画と楽曲の対応付けが行われる。
【０１１２】
図１３に示すプロジェクト作成画面３１０ｇの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。このような構成は、図１１のプロジェクト作成画面３１０ｆと同様である。
【０１１３】
プロジェクト表示領域３７１には、最初に再生される動画（すなわち、コンポーネント表示領域３２１に表示された動画）の最初の画像が表示され、再生指示ボタン３７２をタップすると、そのプロジェクトが最初から最後まで連続して再生される。この例では、２つの動画と１つの静止画が統合され、計３６秒のプロジェクトファイル１６３（動画ファイル）として再生される。
【０１１４】
プロジェクト表示領域３７１の下には、再生時点表示領域（タイムバー）３７３が表示されている。この再生時点表示領域３７３では、このプロジェクトの再生に連動して、再生時点を示すマーカ３７４が移動するようになっている。マーカ３７４は、最初は０：００秒の位置に配置され、再生とともに右方向に移動し、再生が終了した時点で、０：３６秒の位置に移動する。また、図１３に示すように、コンポーネントのトランジション位置で、所定の表示（ここでは、▽マークと点線）を行うようにしてもよい。
【０１１５】
再生時点表示領域３７３の下には、楽曲表示領域３７５が表示されている。この楽曲表示領域３７５では、（例えば、図１２のプロジェクト作成画面３１０ｆにおいて）ユーザにより指定された楽曲の再生開始から再生終了に亘る楽曲再生時間のうち、少なくとも一部の再生部分が、楽曲の波形といった所定のシンボルにより示されるとともに、楽曲のタイミングとプロジェクトのタイミングとの対応付けが示されている。すなわち、楽曲の開始（０：００秒の位置）からプロジェクトの再生が開始され、楽曲が始まって０：３６秒の位置で、プロジェクトの再生が終了する。
【０１１６】
このような指定により、プロジェクトが再生される場合に、指定した楽曲を頭から３６秒間、画像の再生終了まで出力するよう制御する。
【０１１７】
楽曲表示領域３７５の下には、プロジェクトで指定された画像のサムネイルとミュート指定ボタンが対応付けて示されている。すなわち、第１の画像（コンポーネント表示領域３２１に表示された動画）のサムネイルとその動画の音声を出力するか否かを指定するミュート指定ボタン３７６、及び第２の画像（コンポーネント表示領域３３１に表示された動画）のサムネイルとその動画の音声を出力するか否かを指定するミュート指定ボタン３７７が示されている。第３の画像（コンポーネント表示領域３５１に表示された動画）は、元々静止画であるため、ミュートを指定する余地がなく、ミュート指定ボタンは表示されない。ただし、このような静止画についてもミュート指定ボタンを表示し、そこで、ミュート指定ボタンの初期表示がミュート状態を表すようになっていてもよい。
【０１１８】
ユーザは、例えば、図１３に示すように、ミュート指定ボタン３７７をタップすると、第２の動画の音声は出力されず（ミュート指定ボタン３７７の表示がミュート状態を表す表示に変化する）、その動画が再生されている間は、指定した楽曲のみが出力される。一方、第１の動画については、ミュート指定ボタン３７６がタップされていないので、その動画が再生されている間は、動画の音声と指定した楽曲の両方が出力される。第３の画像については、指定した楽曲のみが出力される。
【０１１９】
また、このとき、再生指示ボタン３７２をタップすると、プロジェクト表示領域３７１でプロジェクトのプレビュー（再生）が行われ、その再生に連動して、指定した楽曲の出力が行われる。これにより、プロジェクトのどの画像表示のタイミングで楽曲が出力されるかを容易に把握することができる。さらに、楽曲表示領域３７５には、楽曲の波形が示されているため、ユーザは、その波形により、楽曲のサビの部分や間奏の部分をプロジェクトの特定の再生部分に割り当てるといった操作を直感的かつ容易に行うことができる。
【０１２０】
このように、プロジェクトの再生において、楽曲を容易に対応付けて出力するよう指定することができ、その結果を容易に確認することができるが、楽曲のタイミングとプロジェクトのタイミングとの対応付けを調整する操作について、図１４ないし図１６を参照して説明する。
【０１２１】
図１４に示すプロジェクト作成画面３１０ｈの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。このような構成は、図１３のプロジェクト作成画面３１０ｇと同様である。
【０１２２】
また、プロジェクト表示領域３７１、再生指示ボタン３７２、再生時点表示領域３７３、マーカ３７４、及び楽曲表示領域３７５も、図１３のプロジェクト作成画面３１０ｇと同様である。また、楽曲表示領域３７５の下には、図１３のプロジェクト作成画面３１０ｇと同様、プロジェクトで指定された画像のサムネイルとミュート指定ボタン（３７６、３７７）が対応付けて示されている。
【０１２３】
図１４のプロジェクト作成画面３１０ｈでは、図１３に示すものと同様の楽曲表示領域３７５をユーザが左方向にスワイプして、プロジェクトの再生開始時点において、楽曲が０：０５秒の位置から出力されるように指定されている。
【０１２４】
すなわち、図１３のプロジェクト作成画面３１０ｇでは、楽曲表示領域３７５において、楽曲の０：００秒の位置から０：３６秒の位置がプロジェクトに対応していたのに対し、図１４のプロジェクト作成画面３１０ｈでは、楽曲表示領域３７５において、楽曲の０：０５秒の位置から０：４１秒の位置がプロジェクトに対応するようになっている。
【０１２５】
このように、ユーザによるスワイプ操作によって、楽曲のタイミングとプロジェクトのタイミングとの対応付けを容易に調整することができる。また、図１３の場合と同様に、再生指示ボタン３７２をタップして、プロジェクトのどの画像表示のタイミングで楽曲が出力されるかを容易に把握することができる。
【０１２６】
図１５に示すプロジェクト作成画面３１０ｉの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。このような構成は、図１４のプロジェクト作成画面３１０ｈと同様である。
【０１２７】
また、プロジェクト表示領域３７１、再生指示ボタン３７２、再生時点表示領域３７３、マーカ３７４、及び楽曲表示領域３７５も、図１４のプロジェクト作成画面３１０ｈと同様である。また、楽曲表示領域３７５の下には、図１４のプロジェクト作成画面３１０ｈと同様、プロジェクトで指定された画像のサムネイルとミュート指定ボタン（３７６、３７７）が対応付けて示されている。
【０１２８】
図１５のプロジェクト作成画面３１０ｉでは、プロジェクトが最後まで再生され、再生時点表示領域３７３のマーカ３７４が最後の位置（０：３６秒の位置）に配置されている状態で、プロジェクト表示領域３７１には、最後に再生される静止画の画像が表示されている。ここで、ユーザは、楽曲表示領域３７５を、楽曲の終わりがマーカ３７４の位置になるまで左方向にスワイプして、プロジェクトの再生終了時点において、３：５４秒の楽曲が終了するように指定することができる。
【０１２９】
すなわち、図１４のプロジェクト作成画面３１０ｈでは、楽曲表示領域３７５において、楽曲の０：０５秒の位置から０：４１秒の位置がプロジェクトに対応していたのに対し、図１５のプロジェクト作成画面３１０ｉでは、楽曲表示領域３７５において、楽曲の３：１８秒の位置から３：５４秒の位置がプロジェクトに対応するようになっている。
【０１３０】
このように、ユーザによる横方向のスワイプ操作によって、楽曲のタイミングとプロジェクトのタイミングとの対応付けを容易に調整することができる。また、図１３の場合と同様に、再生指示ボタン３７２をタップして、プロジェクトのどの画像表示のタイミングで楽曲が出力されるかを容易に把握することができる。
【０１３１】
図１６に示すプロジェクト作成画面３１０ｊの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。このような構成は、図１５のプロジェクト作成画面３１０ｉと同様である。
【０１３２】
また、プロジェクト表示領域３７１、再生指示ボタン３７２、再生時点表示領域３７３、マーカ３７４、及び楽曲表示領域３７５も、図１５のプロジェクト作成画面３１０ｉと同様である。また、楽曲表示領域３７５の下には、図１５のプロジェクト作成画面３１０ｉと同様、プロジェクトで指定された画像のサムネイルとミュート指定ボタン（３７６、３７７）が対応付けて示されている。
【０１３３】
図１６のプロジェクト作成画面３１０ｊでは、プロジェクトが最後まで再生され、再生時点表示領域３７３のマーカ３７４が最後の位置（０：３６秒の位置）に配置されている状態で、プロジェクト表示領域３７１には、最後に再生される静止画の画像が表示されている。ここで、ユーザは、楽曲表示領域３７５を、楽曲の終わりがマーカ３７４より早いタイミングとなるように左方向にスワイプして、プロジェクトの再生が終了する前に、３：５４秒の楽曲が終了するように指定される。
【０１３４】
すなわち、図１５のプロジェクト作成画面３１０ｉでは、楽曲表示領域３７５において、楽曲の３：１８秒の位置から３：５４秒の位置がプロジェクトに対応していたのに対し、図１６のプロジェクト作成画面３１０ｊでは、楽曲表示領域３７５において、楽曲の３：２６秒の位置から３：５４秒の位置がプロジェクトに対応し、さらに８秒の無音部分が存在するようになっている。
【０１３５】
このように、ユーザによるスワイプ操作によって、楽曲のタイミングとプロジェクトのタイミングとの対応付けを容易に調整することができる。また、図１３の場合と同様に、再生指示ボタン３７２をタップして、プロジェクトのどの画像表示のタイミングで楽曲が出力されるかを容易に把握することができる。
【０１３６】
さらに、この場合は、楽曲表示領域３７５において無音状態を表す無音領域３８３をタップして同じ楽曲を指定し、楽曲を繰り返して出力するように指定することができる。また、無音領域３８３をタップして新たな楽曲を追加し、複数の楽曲を連結して出力するよう指定することもできる。
【０１３７】
次に、ユーザが、図１３ないし図１６のＮＥＸＴボタン３１３をタップすると、画像編集端末１０の画面は、図１７に示すプロジェクト作成画面３１０ｋに遷移する。
【０１３８】
図１７に示すプロジェクト作成画面３１０ｋの最上部には、「プロジェクト作成画面」といった画面タイトルが表示されたヘダー表示領域３１１が配置され、画面タイトルの左側には、ＢＡＣＫボタン３１２が配置され、さらに、ヘダー表示領域３１１には、時間表示領域３１６が配置される。また、図１７のプロジェクト作成画面３１０ｋでは、ヘダー表示領域３１１の下に、保存ボタン３９１、ＳＮＳ投稿ボタン３９２、キャンセルボタン３９３が表示される。
【０１３９】
保存ボタン３９１がタップされると、プロジェクトの定義（例えば、これまでの編集内容や指示内容を表すデータ）がプロジェクト定義ファイル１６１として保存され、さらに、プロジェクトの定義に基づいて複数のコンポーネントが結合された一連の動画ファイル（すなわち、プロジェクトファイル１６３）として生成され記憶される。各コンポーネントに利用された動画ファイルや静止画ファイルは、コンテンツファイル１６４として記憶されている。
【０１４０】
また、このように生成され、保存されたプロジェクトファイル１６３は、別途読み取ったカードのカードＩＤと関連付けられて、所定のサーバに送信されるよう構成することもできる。
【０１４１】
ＳＮＳ投稿ボタン３９２がタップされると、例えば、プロジェクトファイル１６３が、ユーザの登録しているＳＮＳに投稿できるように、投稿画面（不図示）が表示される。ユーザは、このような投稿画面で所定の操作を行うことにより、生成したプロジェクトファイル１６３を、特定のユーザ又は不特定のユーザ間で共有できるようにＳＮＳに投稿することができる。
【０１４２】
キャンセルボタン３９３がタップされると、これまでのプロジェクト作成の操作がキャンセルされ、図５の画像編集メニュー画面３００等の表示に戻る。
【０１４３】
次に、図１８を参照して、設定画面４００における、プロジェクトの設定について説明する。
【０１４４】
図１８に示す設定画面４００は、図５に示す画像編集メニュー画面３００の設定ボタン３０６をタップした場合に表示され、ここでユーザが、（例えば、プロジェクト単位に）種々の設定を行う。
【０１４５】
図１８に示す設定画面４００の最上部には、「設定画面」といった画面タイトルが表示されたヘダー表示領域４０１が配置され、画面タイトルの左側には、ＢＡＣＫボタン４０２が配置される。さらに、ヘダー表示領域４０１には、プロジェクトタイトルを表示するプロジェクトタイトル表示領域４０３が配置される。
【０１４６】
プロジェクトタイトル表示領域４０３の下には、画像サイズ指定領域４０４が配置される。ここでユーザは、プロジェクトが、複数の画像を連続的に再生するものであって、各画像の画像サイズが異なる場合に、どのような基準により画像サイズを決定するか指定する。
【０１４７】
この例では、画像サイズ指定領域４０４に示すように、固定サイズ、「最大画像サイズに合わせる」、「最小画像サイズに合わせる」、「最大横サイズに合わせる」、及び「最大縦サイズに合わせる」の、４つの基準のなかから１つを（チェックボックスをチェックすることにより）選択することができる。
【０１４８】
画像サイズ指定領域４０４の下には、画像サイズ調整方法指定領域４０５が配置される。ここでユーザは、画像サイズ指定領域４０４において画像サイズを決定した場合に、どのような方法でその画像サイズに調整するかを指定する。
【０１４９】
この例では、「自動的に拡大・縮小する」、及び「はみ出した部分をカットする」の２つの方法のなかから１つを（チェックボックスをチェックすることにより）選択することができる。
【０１５０】
画像サイズ指定領域４０４と画像サイズ調整方法指定領域４０５において指定した内容に基づいて、プロジェクトの画像の再生や、プロジェクト作成における（図６ないし図１１、図１３ないし図１６に示した）コンポーネント表示領域での画像の再生が行われる。
【０１５１】
画像サイズ調整方法指定領域４０５の下には、音量調整指定領域４０６が配置される。ここでユーザは、プロジェクトで指定した複数の動画にそれぞれ含まれる音声のレベルを相互に調整するか否かを指定するために「自動的にレベルを調整する」との表示に対応するチェックボックスをチェックすることができ、また、プロジェクトで指定した複数の動画にそれぞれ含まれる音声と、指定した楽曲とのレベルを相互に調整するか否かを指定するために「楽曲とのレベルを調整する」との表示に対応するチェックボックスをチェックすることができる。
【０１５２】
なお、この例では、「レベルの調整」は、レベルを同程度に調整することを指すが、プロジェクトで指定した複数の動画にそれぞれ含まれる音声のレベルを所定の比率でそれぞれ異なるレベルに調整したり、プロジェクトで指定した複数の動画にそれぞれ含まれる音声と、指定した楽曲とのレベルを所定の比率でそれぞれ異なるレベルに調整したりするよう指定を行うこともできる。
【０１５３】
次に、図５ないし図１１を参照して説明してきたプロジェクト作成の手順について、図１９のフローチャートを参照して説明する。図１９に示すフローチャートは、プロジェクト作成の手順を一部省略しながら概略的に示すものである。
【０１５４】
最初に、ステップＳ１１において、画像編集端末１０が、ユーザからプロジェクト作成の指示を受信する（図５の画像編集メニュー画面３００においてプロジェクト作成ボタン３０４がタップされた場合）。その後、ステップＳ１２において、画像編集端末１０は、図６に示すプロジェクト作成画面３１０をタッチスクリーン１１３に表示する。
【０１５５】
プロジェクト作成画面３１０を表示した状態で、ユーザにより、コンポーネントの追加が指示されたか否かが判定される（ステップＳ１３）。これは、図６のプロジェクト作成画面３１０において、コンポーネント追加ボタン３１８がタップされたか否かを判定することに対応する。
【０１５６】
コンポーネントの追加が指示された場合（ステップＳ１３のＹＥＳ）、ステップＳ１４において、コンポーネント追加メニューを表示する。これは、図７に示すプロジェクト作成画面３１０ａにおいて、コンポーネント追加メニュー３１９を表示することに対応する。ここで、ユーザによって画像のインポートが指定されたか否かを判定する（ステップＳ１５）。これは、コンポーネント追加メニュー３１９から「動画インポート」や「写真インポート」のどちらかがタップされたか否かを判定することに対応する。
【０１５７】
画像のインポートが指示された場合（ステップＳ１５のＹＥＳ）、すなわち、ユーザによって「動画インポート」や「写真インポート」がタップされた場合、ステップＳ１６において、動画の一覧から動画を選択するための動画選択画面、又は写真の一覧から写真を選択するための写真選択画面を表示する。
【０１５８】
なお、画像のインポートが指示されなかった場合（ステップＳ１５のＮＯ）、すなわち、動画撮影やキャンセルが指示された場合については詳細な説明を省略する。動画撮影が指示された場合は、画像編集端末１０において撮像アプリケーションが起動し、ユーザはそこで動画を撮影を開始する。撮影が終了すると、撮影された動画が保存され、その動画が選択されて、後述するステップＳ１８の判定に進む。キャンセルが指示されると、処理はステップＳ１３の判定に戻る。
【０１５９】
ステップＳ１７において、ステップＳ１６で表示された動画選択画面や写真選択画面で選択がされたか否かが判定され（ステップＳ１７）、選択が行われるまで、この判定が繰り返される。動画選択画面や写真選択画面で選択がされると（ステップＳ１６のＹＥＳ）、プロジェクトにコンポーネントが複数存在するか否か（すなわち、今回のプロジェクト作成画面で複数の画像が追加されているか否か）が判定される（ステップＳ１８）。
【０１６０】
コンポーネントが複数存在する場合（ステップＳ１８のＹＥＳ）、画像編集端末１０は、コンポーネントの間（コンポーネントとコンポーネントの境界付近）に、例えば、図９のプロジェクト作成画面３１０ｃに示すように、トランジション設定ボタンと上下入替ボタンを表示し（ステップＳ１９）、ステップＳ２０に進む。一方、コンポーネントが今回追加した１件である場合（ステップＳ１８のＮＯ）、画像編集端末１０は上記のトランジション設定ボタンと上下入替ボタンを表示することなく、ステップＳ２０に進む。
【０１６１】
ステップＳ２０では、これまでに追加されているコンポーネントの画像と今回追加されたコンポーネントの画像を、それぞれ対応するコンポーネント表示領域に表示する。例えば、図９のプロジェクト作成画面３１０ｃに示すように、これまでに追加されているコンポーネントの画像については、コンポーネント表示領域３２１に示すように表示が継続され、今回追加されたコンポーネントの画像については、あらたに、コンポーネント表示領域３３１に表示される。なお、コンポーネントの画像は、コンポーネントが動画の場合は、動画の最初の画像である。
【０１６２】
ステップＳ２０の後、処理はステップＳ１３に戻り、そこでコンポーネントの追加の指示があるか否かの判定が行われる。
【０１６３】
ステップＳ１３において、コンポーネントの追加以外の指示がされた場合（ステップＳ１３のＮＯ）、ステップＳ２１において、ＮＥＸＴボタンがタップされて次の処理に進むよう指示されたか否かが判定される。次の処理は、例えば、図１２のプロジェクト作成画面３１０ｆに示すような楽曲選択の処理であるが、ここでは詳細な説明を省略する。
【０１６４】
ユーザの指示が次の処理でない場合（ステップＳ２１のＮＯ）、ステップＳ２２において、コンポーネントの指示（すなわち、コンポーネント表示領域に表示されたコンポーネント操作指示領域（図８のプロジェクト作成画面３１０ｂ参照）に示された操作の指示）があった場合であって、その指示が「再生」である場合（ステップＳ２２の「再生」）、ステップＳ２３において、対応するコンポーネントの動画をコンポーネント表示領域において再生するよう制御する。
【０１６５】
ステップＳ２４において、再生のストップが指示された、又は再生が終了したと判定された場合（ステップＳ２４のＹＥＳ）、ステップＳ２５において当該コンポーネントの再生を終了し、ステップＳ２０に進む。ステップＳ２３におけるコンポーネントの再生制御は、再生のストップが指示された、又は再生が終了したと判定されるまで継続される（ステップＳ２４のＮＯ）。
【０１６６】
ユーザの指示が「再生」である場合（ステップＳ２２の「編集」）、ステップＳ２６において、対応するコンポーネントの動画をコンポーネント表示領域において編集し、保存するよう制御する。なお、このような編集は、ユーザの指示に基づくものであり、図８のプロジェクト作成画面３１０ｂに示すコンポーネント編集メニュー３２６から編集操作が選択される。また、追加したコンポーネントが写真の場合は、図１１のプロジェクト作成画面３１０ｅに示すコンポーネント編集メニュー３５６に含まれる「ＴＩＭＥ」を選択して、所定の時間、その写真が表示されるように設定する必要がある。その後、コンポーネントの編集が終了すると、ステップＳ２０に進む。
【０１６７】
ステップＳ２２において、ユーザからコンポーネントに関する指示がない場合は（ステップＳ２２のＮＯ）、ステップＳ１３に戻り、ユーザから指示があるまで待機する。
【０１６８】
次に、図２０、及び図２１を参照して、本発明の一実施形態に係る画像編集端末１０におけるプロジェクトの作成を行う場合の拡張機能の例について説明する。
【０１６９】
図２０に示すプロジェクト作成画面３１０Ｌは、図１１に示すプロジェクト作成画面３１０ｅと同様の表示態様である。すなわち、図２０に示すプロジェクト作成画面３１０Ｌの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。この例では、動画、又は静止画に基づく９個のコンポーネントがプロジェクトに登録され、時間表示領域３１６における表示は、「０３：４４」となっている。
【０１７０】
また、ヘダー表示領域３１１において、ＢＡＣＫボタン３１２の下に、コンポーネントリスト表示ボタン４１１が表示されており、ユーザが、コンポーネントリスト表示ボタン４１１をタップすると、後述する図２１のプロジェクト作成画面３１０ｍに示すようなコンポーネント表示リストが表示される。
【０１７１】
ヘダー表示領域３１１の下には、コンポーネント表示領域３２１が表示され、このプロジェクトで最初に再生される先頭の動画の代表画像が示されている。コンポーネント表示領域３２１の下には、コンポーネント表示領域３３１が表示され、このプロジェクトで２番目に再生される動画の代表画像が示されている。さらに、コンポーネント表示領域３３１の下には、コンポーネント表示領域３５１が表示され、このプロジェクトで３番目に再生される動画（写真に基づいて構成された動画）の代表画像が示されている。
【０１７２】
また、コンポーネント表示領域３２１とコンポーネント表示領域３３１との間には、上述したトランジション設定ボタン３３４と上下入替ボタン３３３が配置され、コンポーネント表示領域３３１とコンポーネント表示領域３５１との間には、上述したトランジション設定ボタン３５４と上下入替ボタン３５３が配置されている。また、コンポーネント表示領域３３１には、上述したコンポーネント操作指示領域３３２が表示され、コンポーネント表示領域３５１には、上述したコンポーネント操作指示領域３５２が表示されている。
【０１７３】
さらに、コンポーネント表示領域３５１には、コンポーネント表示領域３５１にオーバーラップして表示されたコンポーネント追加ボタン３５５が表示されている。
【０１７４】
このように、例えば、９個といった、多くのコンポーネントがプロジェクトに登録されている場合は、各コンポーネントの代表画像を多くても２〜３個程度しか同時に表示できず、また、そのコンポーネントに対する操作指示も、代表画像が表示されている２〜３個に対して行うことができるに過ぎない。そこでユーザは、プロジェクト作成画面３１０Ｌを下から上にスワイプすることでプロジェクト作成画面３１０Ｌの表示範囲が下側に移動し、次のコンポーネントに関するコンポーネント表示領域を表示することができ、これによって、そのコンポーネントに対する操作指示も可能となる。
【０１７５】
しかしながら、ここで、ユーザがコンポーネントリスト表示ボタン４１１をタップすると、図２１に示すプロジェクト作成画面３１０ｍに遷移し、そこで表示されるコンポーネントリスト表示を操作することにより、ユーザは、所望のコンポーネントにより効率的にアクセスすることができる。
【０１７６】
図２１に示すプロジェクト作成画面３１０ｍは、図２０に示すプロジェクト作成画面３１０Ｌと同様の表示態様である。すなわち、図２１に示すプロジェクト作成画面３１０ｍの最上部には、「プロジェクト作成画面」といった画面タイトルが表示されたヘダー表示領域３１１が配置され、画面タイトルの左側には、ＢＡＣＫボタン３１２が配置され、画面タイトルの右側には、ＮＥＸＴボタン３１３が配置される。さらに、ヘダー表示領域３１１には、時間表示領域３１６が配置される。上述のように、この例では、動画、又は静止画に基づく９個のコンポーネントがプロジェクトに登録され、時間表示領域３１６における表示は、「０３：４４」となっている。
【０１７７】
また、ヘダー表示領域３１１において、ＢＡＣＫボタン３１２の下に、コンポーネントリスト表示ボタン４１１が表示されており、ユーザが、コンポーネントリスト表示ボタン４１１をタップすると、コンポーネントリスト表示ボタン４１１の下側に、コンポーネント表示リスト４１２が表示される。コンポーネント表示リスト４１２は、この例では、コンポーネント表示領域３２１、コンポーネント表示領域３３１、コンポーネント表示領域３５１等にオーバーラップして表示される。また、コンポーネント表示リスト４１２には、上述した９個のコンポーネントのそれぞれに対する代表画像のサムネイル画像がリスト表示される。
【０１７８】
ヘダー表示領域３１１の下には、コンポーネント表示領域３２１が表示され、このプロジェクトで最初に再生される先頭の動画の代表画像が示されている。コンポーネント表示領域３２１の下には、コンポーネント表示領域３３１が表示され、このプロジェクトで２番目に再生される動画の代表画像が示されている。さらに、コンポーネント表示領域３３１の下には、コンポーネント表示領域３５１が表示され、このプロジェクトで３番目に再生される動画（写真に基づいて構成された動画）の代表画像が示されている。
【０１７９】
また、コンポーネント表示領域３２１とコンポーネント表示領域３３１との間には、上述したトランジション設定ボタン３３４と上下入替ボタン３３３が配置されるが、トランジション設定ボタン３３４は、コンポーネント表示リスト４１２が表示されているため非表示となっている。コンポーネント表示領域３３１とコンポーネント表示領域３５１との間には、上述したトランジション設定ボタン３５４と上下入替ボタン３５３が配置されるが、トランジション設定ボタン３５４は、コンポーネント表示リスト４１２が表示されているため非表示となっている。
【０１８０】
また、コンポーネント表示領域３３１には、上述したコンポーネント操作指示領域３３２が配置されるが、その一部は非表示となっている。同様に、コンポーネント表示領域３５１には、上述したコンポーネント操作指示領域３５２が表示されるが、その一部は非表示となっている。
【０１８１】
さらに、コンポーネント表示領域３５１には、コンポーネント表示領域３５１にオーバーラップして表示されたコンポーネント追加ボタン３５５が表示されている。
【０１８２】
図２１に示す状態で、ユーザがコンポーネント表示リスト４１２に表示されている第６のコンポーネントに係る代表画像のサムネイル画像４１２ａをタップすると、例えば、コンポーネント表示領域３３１に、その第６のコンポーネントに係る代表画像が表示され、ユーザは、コンポーネント表示領域３３１に表示されたコンポーネント操作指示領域３３２を操作することによって、第６のコンポーネントに対する操作を即座に開始することができる。なお、このとき、コンポーネント表示領域３２１には、第５のコンポーネントに係る代表画像が表示され、コンポーネント表示領域３５１には、第７のコンポーネントに係る代表画像が表示される。
【０１８３】
また、この例では便宜上、コンポーネント表示リスト４１２で指定されたコンポーネントの代表画像が、その指定の時点で、コンポーネントの代表画像の全範囲を表示可能な最上段のコンポーネント表示領域であるコンポーネント表示領域３３１に表示されるよう説明したが、当該指定されたコンポーネントの代表画像を、ヘダー表示領域３１１の直下に配置された（最上段の）コンポーネント表示領域に表示するなど、様々な所定位置に表示するよう制御できる。
【０１８４】
このように、コンポーネント表示リスト４１２によって、プロジェクトに登録されたコンポーネントの全体を容易に把握することができる。また、コンポーネント表示リスト４１２の操作によって、ユーザは、操作対象のコンポーネントを直接指定することができ、すぐに所望のコンポーネントの代表画像を表示させ、当該コンポーネントについて操作を開始することができる。このような仕組みにより、ユーザは、コンポーネントを順次表示させて所望のコンポーネントにたどり着くといったスワイプ等の操作をする必要がなくなる。
【０１８５】
また、コンポーネント表示リスト４１２は、この例では、コンポーネントごとに、ユーザによって選択可能な代表画像のサムネイルを表示するように構成されているが、コンポーネントを表す文字列や他のオブジェクトをリスト表示するように構成することもできる。また、各コンポーネントに対して、キーフレームで表される代表画像のサムネイルやチャプタに対応した代表画像のサムネイルを複数表示させて、より詳細なレベルで（すなわち、コンポーネントの各シーンについて）それぞれを選択可能とするように構成することもできる。
【０１８６】
以上、本発明の一実施形態に係る画像編集端末１０について、構成、画面の遷移、及び処理フロー等を説明してきたが、これらの説明は一例にすぎず、他の様々な構成、画面の遷移、及び処理フロー等によって、本発明の技術的思想を実現することができる。
【０１８７】
例えば、本実施形態では、各コンポーネントは、画像編集端末１０のタッチスクリーン１１３が縦方向に向けられた状態（すなわち、タッチスクリーン１１３の長手方向が概ね垂直方向に位置づけられた状態）において、隣接するコンポーネントと上下（縦）の位置関係で配置されている。しかしながら、画像編集端末１０のタッチスクリーン１１３が横方向に向けられた状態（すなわち、タッチスクリーン１１３の長手方向が概ね水平方向に位置づけられた状態）において、隣接するコンポーネントと左右（横）の位置関係で配置されていてもよい。この場合、トランジション設定ボタンは、例えば、２つのコンポーネントの間の上側に配置され、左右入替ボタン（タッチスクリーン１１３が縦方向に向けられた場合の上下入替ボタンに対応するボタン）はトランジション設定ボタンの下側に配置されうる。
【０１８８】
また、本実施形態では、プロジェクト作成の操作によって、プロジェクトファイル１６３（編集後動画ファイル）が作成され、ユーザがプロジェクト作成に関して指定した内容が別途プロジェクト定義ファイルに記憶されるが、このような構成以外の構成によって編集後動画ファイルを再生できるようにしてもよい。例えば、上記のプロジェクト定義ファイルと各コンポーネントを構成する動画ファイルや静止画ファイルを関連付けて記憶しておき、再生等のタイミングでこれらのファイルから編集後動画を生成し再生するようにしてもよいし、プロジェクト定義ファイルを記憶しないように構成してもよい。
【符号の説明】
【０１８９】
１０・・・画像編集端末
１０１・・・ＣＰＵ
１０２・・・メモリ
１５１・・・プロジェクト編集制御部
１５２・・・設定制御部
１５３・・・撮像制御部
１５４・・・入出力制御部
１５５・・・ネットワークＩ／Ｆ部
１６１・・・プロジェクト定義ファイル
１６２・・・設定ファイル
１６３・・・プロジェクトファイル
１６４・・・コンテンツファイル
【図１】
2017175242.tif 000003
【図２】
2017175242.tif 000004
【図３】
2017175242.tif 000005
【図４】
2017175242.tif 000006
【図５】
2017175242.tif 000007
【図６】
2017175242.tif 000008
【図７】
2017175242.tif 000009
【図８】
2017175242.tif 000010
【図９】
2017175242.tif 000011
【図１０】
2017175242.tif 000012
【図１１】
2017175242.tif 000013
【図１２】
2017175242.tif 000014
【図１３】
2017175242.tif 000015
【図１４】
2017175242.tif 000016
【図１５】
2017175242.tif 000017
【図１６】
2017175242.tif 000018
【図１７】
2017175242.tif 000019
【図１８】
2017175242.tif 000020
【図１９】
2017175242.tif 000021
【図２０】
2017175242.tif 000022
【図２１】
2017175242.tif 000023
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
情報を表示する表示部と、
ユーザから指定された複数の画像ファイルに基づいて、前記複数の画像ファイルを順次再生する動画ファイルを作成する画像編集部とを備える画像編集装置であって、
前記画像編集部は、
前記複数の画像ファイルの再生順を管理し、
前記複数の画像ファイルのうち少なくとも一部の画像ファイルに対応する代表画像を、前記再生順に従って並んだ状態で前記表示部に表示し、
前記表示部に表示された代表画像に対する前記ユーザの操作によって、操作された前記代表画像に対応する画像ファイルに関する処理が指示され、
前記表示部には、前記画像ファイルに対応する前記代表画像のそれぞれが表示される複数の表示領域が前記再生順に従って配置され、
前記ユーザの前記操作は、前記ユーザが前記表示領域を所定の態様で触れる操作であり、
前記ユーザの前記操作によって再生が指示された場合に、前記操作の対象である前記表示領域に表示されている前記代表画像に対応する画像ファイルが、前記表示領域において再生されることを特徴とする画像編集装置。
【請求項２】
前記表示領域は、前記表示部において、前記複数の画像ファイルを連続して順次再生する連続再生表示領域とともに配置されないことを特徴とする、請求項１に記載の画像編集装置。
【請求項３】
前記ユーザによる指示に応じて、前記動画ファイルを構成する複数の画像ファイルに対応する代表画像が再生順に表示された表示リストが、前記表示部に表示され、
前記表示リストにおいて表示される前記代表画像の数は、前記表示部に表示されている前記表示領域の数以上であり、
前記表示リストにおいて表示される前記代表画像のサイズは、前記表示領域に表示される前記代表画像のサイズより小さいものであり、
前記表示リストにおいて表示される前記代表画像の１つが前記ユーザにより選択された場合に、選択された前記代表画像を含む複数の代表画像が再生順にそれぞれ、複数の前記表示領域に表示されるよう制御されることを特徴とする、請求項１または２に記載の画像編集装置。
【請求項４】
前記ユーザの前記操作が、前記表示領域において前記画像ファイルが再生されているときになされた場合、前記表示領域における前記画像ファイルの再生が停止され、前記操作がされた時点での再生画像が前記表示領域に表示されることを特徴とする、請求項１ないし３のいずれかに記載の画像編集装置。
【請求項５】
先に再生される前記画像ファイルに対応する代表画像が前記複数の表示領域のうち第１表示領域に表示され、後に再生される前記画像ファイルに対応する代表画像が前記複数の表示領域のうち第２表示領域に表示されている場合に、前記第１表示領域と前記第２表示領域との間に、
前記第１表示領域に表示された代表画像に対応する前記画像ファイルの終了時の再生態様と、前記第２表示領域に表示された代表画像に対応する前記画像ファイルの開始時の再生態様とを指定可能な第１アイコンと、
前記第１表示領域に表示された代表画像に対応する前記画像ファイルと前記第２表示領域に表示された代表画像に対応する前記画像ファイルとの再生順を変更可能な第２アイコンとが表示されることを特徴とする、請求項１ないし４のいずれかに記載の画像編集装置。
【請求項６】
情報を、コンピュータの表示部に表示する表示制御ステップと、
ユーザから指定された複数の画像ファイルに基づいて、前記複数の画像ファイルを順次再生する動画ファイルを作成する画像編集ステップとを含む、前記コンピュータにおいて実行される画像編集方法であって、
前記画像編集ステップは、
前記複数の画像ファイルの再生順を管理し、
前記複数の画像ファイルのうち少なくとも一部の画像ファイルに対応する代表画像を、前記再生順に従って並んだ状態で前記表示部に表示し、
前記表示部に表示された代表画像に対する前記ユーザの操作によって、操作された前記代表画像に対応する画像ファイルに関する処理が指示され、
前記表示部には、前記画像ファイルに対応する前記代表画像のそれぞれが表示される複数の表示領域が前記再生順に従って配置され、
前記ユーザの前記操作は、前記ユーザが前記表示領域を所定の態様で触れる操作であり、
前記ユーザの前記操作によって再生が指示された場合に、前記操作の対象である前記表示領域に表示されている前記代表画像に対応する画像ファイルが、前記表示領域において再生されることを特徴とする画像編集方法。
【請求項７】
情報を、コンピュータの表示部に表示する表示制御ステップと、
ユーザから指定された複数の画像ファイルに基づいて、前記複数の画像ファイルを順次再生する動画ファイルを作成する画像編集ステップとを、前記コンピュータに実行させるプログラムであって、
前記画像編集ステップは、
前記複数の画像ファイルの再生順を管理し、
前記複数の画像ファイルのうち少なくとも一部の画像ファイルに対応する代表画像を、前記再生順に従って並んだ状態で前記表示部に表示し、
前記表示部に表示された代表画像に対する前記ユーザの操作によって、操作された前記代表画像に対応する画像ファイルに関する処理が指示され、
前記表示部には、前記画像ファイルに対応する前記代表画像のそれぞれが表示される複数の表示領域が前記再生順に従って配置され、
前記ユーザの前記操作は、前記ユーザが前記表示領域を所定の態様で触れる操作であり、
前記ユーザの前記操作によって再生が指示された場合に、前記操作の対象である前記表示領域に表示されている前記代表画像に対応する画像ファイルが、前記表示領域において再生されることを特徴とするプログラム。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
情報を表示する表示部と、
ユーザから指定された複数の画像ファイルに基づいて、前記複数の画像ファイルを順次再生する動画ファイルを作成する画像編集部とを備える画像編集装置であって、
前記画像編集部は、
前記複数の画像ファイルの再生順を管理し、
前記複数の画像ファイルのうち少なくとも一部の画像ファイルに対応する代表画像を、前記再生順に従って並んだ状態で前記表示部に表示し、
前記表示部に表示された代表画像に対する前記ユーザの操作によって、操作された前記代表画像に対応する画像ファイルに関する処理が指示され、
前記表示部には、前記画像ファイルに対応する前記代表画像のそれぞれが表示される複数の表示領域が前記再生順に従って配置され、
前記ユーザの前記操作は、前記ユーザが前記表示領域を所定の態様で触れる操作であり、
前記ユーザの前記操作によって再生が指示された場合に、前記操作の対象である前記表示領域に表示されている前記代表画像に対応する画像ファイルが、前記表示領域において再生され、
前記ユーザによる指示に応じて、前記動画ファイルを構成する複数の画像ファイルに対応する代表画像が再生順に表示された表示リストが、前記表示部に表示され、
前記表示リストにおいて表示される前記代表画像の数は、前記表示部に表示されている前記表示領域の数以上であり、
前記表示リストにおいて表示される前記代表画像のサイズは、前記表示領域に表示される前記代表画像のサイズより小さいものであり、
前記表示リストにおいて表示される前記代表画像の１つが前記ユーザにより選択された場合に、選択された前記代表画像を含む複数の代表画像が再生順にそれぞれ、複数の前記表示領域に表示されるよう制御されることを特徴とする画像編集装置。
【請求項２】
前記表示領域は、前記表示部において、前記複数の画像ファイルを連続して順次再生する連続再生表示領域とともに配置されないことを特徴とする、請求項１に記載の画像編集装置。
【請求項３】
前記ユーザの前記操作が、前記表示領域において前記画像ファイルが再生されているときになされた場合、前記表示領域における前記画像ファイルの再生が停止され、前記操作がされた時点での再生画像が前記表示領域に表示されることを特徴とする、請求項１または２に記載の画像編集装置。
【請求項４】
先に再生される前記画像ファイルに対応する代表画像が前記複数の表示領域のうち第１表示領域に表示され、後に再生される前記画像ファイルに対応する代表画像が前記複数の表示領域のうち第２表示領域に表示されている場合に、前記第１表示領域と前記第２表示領域との間に、
前記第１表示領域に表示された代表画像に対応する前記画像ファイルの終了時の再生態様と、前記第２表示領域に表示された代表画像に対応する前記画像ファイルの開始時の再生態様とを指定可能な第１アイコンと、
前記第１表示領域に表示された代表画像に対応する前記画像ファイルと前記第２表示領域に表示された代表画像に対応する前記画像ファイルとの再生順を変更可能な第２アイコンとが表示されることを特徴とする、請求項１ないし３のいずれかに記載の画像編集装置。
【請求項５】
情報を、コンピュータの表示部に表示する表示制御ステップと、
ユーザから指定された複数の画像ファイルに基づいて、前記複数の画像ファイルを順次再生する動画ファイルを作成する画像編集ステップとを含む、前記コンピュータにおいて実行される画像編集方法であって、
前記画像編集ステップは、
前記複数の画像ファイルの再生順を管理し、
前記複数の画像ファイルのうち少なくとも一部の画像ファイルに対応する代表画像を、前記再生順に従って並んだ状態で前記表示部に表示し、
前記表示部に表示された代表画像に対する前記ユーザの操作によって、操作された前記代表画像に対応する画像ファイルに関する処理が指示され、
前記表示部には、前記画像ファイルに対応する前記代表画像のそれぞれが表示される複数の表示領域が前記再生順に従って配置され、
前記ユーザの前記操作は、前記ユーザが前記表示領域を所定の態様で触れる操作であり、
前記ユーザの前記操作によって再生が指示された場合に、前記操作の対象である前記表示領域に表示されている前記代表画像に対応する画像ファイルが、前記表示領域において再生され、
前記ユーザによる指示に応じて、前記動画ファイルを構成する複数の画像ファイルに対応する代表画像が再生順に表示された表示リストが、前記表示部に表示され、
前記表示リストにおいて表示される前記代表画像の数は、前記表示部に表示されている前記表示領域の数以上であり、
前記表示リストにおいて表示される前記代表画像のサイズは、前記表示領域に表示される前記代表画像のサイズより小さいものであり、
前記表示リストにおいて表示される前記代表画像の１つが前記ユーザにより選択された場合に、選択された前記代表画像を含む複数の代表画像が再生順にそれぞれ、複数の前記表示領域に表示されるよう制御されることを特徴とする画像編集方法。
【請求項６】
情報を、コンピュータの表示部に表示する表示制御ステップと、
ユーザから指定された複数の画像ファイルに基づいて、前記複数の画像ファイルを順次再生する動画ファイルを作成する画像編集ステップとを、前記コンピュータに実行させるプログラムであって、
前記画像編集ステップは、
前記複数の画像ファイルの再生順を管理し、
前記複数の画像ファイルのうち少なくとも一部の画像ファイルに対応する代表画像を、前記再生順に従って並んだ状態で前記表示部に表示し、
前記表示部に表示された代表画像に対する前記ユーザの操作によって、操作された前記代表画像に対応する画像ファイルに関する処理が指示され、
前記表示部には、前記画像ファイルに対応する前記代表画像のそれぞれが表示される複数の表示領域が前記再生順に従って配置され、
前記ユーザの前記操作は、前記ユーザが前記表示領域を所定の態様で触れる操作であり、
前記ユーザの前記操作によって再生が指示された場合に、前記操作の対象である前記表示領域に表示されている前記代表画像に対応する画像ファイルが、前記表示領域において再生され、
前記ユーザによる指示に応じて、前記動画ファイルを構成する複数の画像ファイルに対応する代表画像が再生順に表示された表示リストが、前記表示部に表示され、
前記表示リストにおいて表示される前記代表画像の数は、前記表示部に表示されている前記表示領域の数以上であり、
前記表示リストにおいて表示される前記代表画像のサイズは、前記表示領域に表示される前記代表画像のサイズより小さいものであり、
前記表示リストにおいて表示される前記代表画像の１つが前記ユーザにより選択された場合に、選択された前記代表画像を含む複数の代表画像が再生順にそれぞれ、複数の前記表示領域に表示されるよう制御されることを特徴とするプログラム。